(57)【要約】【課題】  フォトカプラの数を減らして電源装置を小型化することが可能な電源出力電圧監視回路を提供する。【解決手段】  二次回路２を、過電圧を検出する比較器２１の出力と不足電圧を検出する比較器２２の出力とを結合し、フォトカプラＰＣの発光ダイオード２９を駆動するトランジスタ２７を制御して、出力電圧の正常出力時はフォトカプラＰＣを点灯、過電圧または不足電圧時には消灯させるよう構成する。一次回路１は、フォトカプラＰＣの点灯時に、ＡＮＤゲート１４を閉塞して正常を表すローレベルの信号ｆを出力し、フォトカプラＰＣの消灯時には、ＡＮＤゲート１４から異常を表すハイレベルのアラーム信号を出力する。電源装置の起動時には、タイマ１５が起動から所定時間ローレベルの出力信号ｂを出力し、立ち上がり時の不足電圧検出によるアラーム信号の出力をマスクする。【選択図】  図１
2006033913.tif 000002
【特許請求の範囲】
【請求項１】
互いに電気的に絶縁された入力側の一次回路と出力側の二次回路とを有する電源装置の出力電圧を監視する電源出力電圧監視回路において、
前記出力電圧を検出する電圧検出回路と、
前記電圧検出回路によって検出された電圧を規定の電圧より高い第１設定電圧と比較する第１の比較器と、
前記電圧検出回路によって検出された電圧を前記規定の電圧より低い第２設定電圧と比較する第２の比較器と、
前記第１の比較器および前記第２の比較器の出力に接続されて、前記出力電圧が前記第１設定電圧と前記第２設定電圧との間にあるときに発光部が点灯され、前記第１の比較器が前記第１設定電圧より高い過電圧を検出したときまたは前記第２の比較器が前記第２設定電圧より低い不足電圧を検出したとき前記発光部が消灯される１つのフォトカプラと、
前記フォトカプラの受光部が受光していないときに前記電源装置を即時停止させるためのアラーム信号を出力する論理回路と、
前記電源装置の起動と共に動作開始して所定時間前記アラーム信号の出力をマスクするタイマと、
を備えていることを特徴とする電源出力電圧監視回路。
【請求項２】
前記論理回路は、一方の入力に前記フォトカプラの前記受光部の出力を受け、他方の入力に前記タイマの出力を受けて、前記電源装置の起動から所定時間前記タイマの出力により閉塞され、所定時間経過後は、前記受光部の出力に応じて前記アラーム信号を出力するゲートを有していることを特徴とする請求項１記載の電源出力電圧監視回路。
【請求項３】
前記論理回路は、前記電源装置の起動時にリセットされ、前記出力電圧が正常に出力されて前記受光部が受光したときにセットされて、前記タイマが所定時間経過後の信号と同じ信号を前記ゲートの他方の入力に与えるようにしたラッチ回路を有していることを特徴とする請求項２記載の電源出力電圧監視回路。
【請求項４】
互いに電気的に絶縁された入力側の一次回路と出力側の二次回路とを有する電源装置の出力電圧を監視する電源出力電圧監視回路において、
前記出力電圧を検出する電圧検出回路と、
前記電圧検出回路によって検出された電圧を規定の電圧より高い第１設定電圧と比較する第１の比較器と、
前記電圧検出回路によって検出された電圧を前記規定の電圧より低い第２設定電圧と比較する第２の比較器と、
発光部と受光部とを有する１つのフォトカプラと、
前記フォトカプラの前記発光部と直列に接続されて前記第２の比較器が規定の電圧を検出しているときにオンして前記二次回路の整流後のパルスにより前記発光部を点滅状態にし、前記第２の比較器が前記第２設定電圧より低い不足電圧を検出しているときにオフして前記発光部を消灯状態にする第１トランジスタと、
前記二次回路の平滑回路の出力と前記フォトカプラの前記発光部との間に接続されて前記第１の比較器が前記第１設定電圧より高い過電圧を検出したときにオンして前記発光部を点灯状態にする第２トランジスタと、
前記一次回路のスイッチングトランジスタを駆動するスイッチング信号と前記フォトカプラの前記受光部の出力信号とから前記発光部の前記点滅状態、前記消灯状態および前記点灯状態に対応した３つの状態を判別する状態判別回路と、
前記電源装置の起動と共に動作開始して所定時間前記消灯状態に対応する出力をマスクするタイマと、
を備えていることを特徴とする電源出力電圧監視回路。
【請求項５】
前記状態判別回路は、前記受光部が前記点灯状態の出力信号を出力しているとき、前記スイッチング信号に同期した過電圧検出信号を出力し、前記受光部が前記消灯状態の出力信号を出力しているとき、前記スイッチング信号に同期した不足電圧検出信号を出力する機能を有していることを特徴とする請求項４記載の電源出力電圧監視回路。
【発明の詳細な説明】
【技術分野】
【０００１】
本発明は電源出力電圧監視回路に関し、特に信頼性が要求されるような通信機器などに使用される電源装置における電源出力電圧監視回路に関する。
【背景技術】
【０００２】
スイッチング電源装置は、一般に、入力側の一次回路と出力側の二次回路とを有し、一次回路と二次回路とはトランスによって電位的に絶縁された構成を有している。スイッチング電源装置は、二次回路の出力電圧を検出し、フォトカプラを介して一次回路にフィードバックすることにより、一定の出力電圧が得られるようにスイッチングトランジスタに供給されるパルス信号のパルス幅を制御するように構成されている（たとえば、特許文献１参照。）。
【０００３】
通信機器などに使用される電源装置には、負荷回路の誤動作を防止するために出力電圧を監視する機能を一般的に有している。ここで、出力電圧異常には、規定電圧に対してこれよりも電圧が上昇する「過電圧」と電圧が低下する「不足電圧」とがある。
【０００４】
図６は出力電圧異常の説明図であって、（ａ）は出力電圧異常を定義する図、（ｂ）は起動時の出力電圧の変化を示す図である。
この図６の（ａ）に示したように、出力電圧Ｖｏの規定電圧を１００％とし、第１の設定電圧を１２０％、第２の設定電圧を８０％としたとき、出力電圧異常は、１２０％以上が過電圧ＯＶ、８０％以下が不足電圧ＬＶと定義する。
【０００５】
また、電源装置は、その起動時において、図６の（ｂ）に示したように、出力電圧Ｖｏが０％から立ち上がって、８０％以下の不足電圧領域を通過し、１００％の規定出力電圧まで上昇するといった変化を示す。
【０００６】
図７は電源装置における従来の電源出力電圧監視回路の構成例を示す回路図である。
電源装置は、入力側の一次回路に、制御回路１０１とスイッチングトランジスタ１０２とを有し、これらによってトランス１０３の一次巻線に流れる電流を制御する構成を有している。制御回路１０１には、２つのフォトカプラＰＣ１，ＰＣ２の受光部が接続されている。トランス１０３の二次巻線には、電源装置の出力側の二次回路が接続されている。この二次回路は、全波整流を行うダイオード１０４，１０５と平滑回路を構成するチョークコイル１０６およびコンデンサ１０７とを備えている。
【０００７】
さらに、電源装置の二次回路は、過電圧検出回路１０８と不足電圧検出回路１０９とを有する電源出力電圧監視回路を備えている。過電圧検出回路１０８は、２つの抵抗１１０，１１１によってこの電源装置の出力電圧を検出する分圧器と、この分圧器によって検出した電圧を上記の第１の設定電圧に相当した電圧を出力する第１基準電圧源１１２と比較する比較器１１３と、この比較器１１３の出力に接続されたフォトカプラＰＣ１の発光部および電流制限抵抗１１４とを備えている。
【０００８】
不足電圧検出回路１０９も、過電圧検出回路１０８と同様の構成を有し、２つの抵抗１１５，１１６によってこの電源装置の出力電圧を検出する分圧器と、この分圧器によって検出した電圧を上記の第２の設定電圧に相当した電圧を出力する第２基準電圧源１１７と比較する比較器１１８と、この比較器１１８の出力に接続されたフォトカプラＰＣ２の発光部および電流制限抵抗１１９とを備えている。
【０００９】
なお、この図７において、電源装置が二次回路の出力電圧を規定の電圧に制御するフィードバック回路については、ここでは省略してある。
以上の構成の電源出力電圧監視回路において、出力電圧が第１の設定電圧と第２の設定電圧との間にあるとき、過電圧検出回路１０８は、比較器１１３の反転入力に印加される電圧が第１基準電圧源１１２の電圧よりも低いため、比較器１１３の出力がハイレベルに維持される。したがって、フォトカプラＰＣ１は、その発光部に電流が流れないので、消灯状態になっている。一方、不足電圧検出回路１０９は、比較器１１８の反転入力に印加される電圧が第２基準電圧源１１７の電圧よりも高いため、比較器１１８の出力がローレベルに維持される。したがって、フォトカプラＰＣ２は、その発光部に電流が流れるので、点灯状態になっている。
【００１０】
ここで、出力電圧が第１の設定電圧より高くなると、過電圧検出回路１０８では、比較器１１３の反転入力に印加される電圧が第１基準電圧源１１２の電圧よりも高くなるため、比較器１１３の出力がローレベルに反転され、その結果、フォトカプラＰＣ１の発光部が点灯する。一次回路の制御回路１０１は、フォトカプラＰＣ１の受光部が応答することによってこの電源装置を即時停止するよう制御する。
【００１１】
また、出力電圧が第２の設定電圧より低くなると、不足電圧検出回路１０９では、比較器１１８の反転入力に印加される電圧が第２基準電圧源１１７の電圧よりも低くなるため、比較器１１３の出力がハイレベルに反転され、その結果、フォトカプラＰＣ２の発光部が消灯する。一次回路の制御回路１０１は、フォトカプラＰＣ２の受光部が応答することによって即座にこの電源装置を停止するよう制御する。
【００１２】
さらに、電源装置の起動時には、出力電圧が８０％以下の不足電圧領域を通過しながら１００％の規定出力電圧まで上昇するが、出力電圧がその不足電圧領域にあるときには、常に不足電圧検出回路１０９が不足電圧ＬＶを検出することになる。したがって、このような電源装置の起動時においては、制御回路１０１は、起動から一定時間、不足電圧検出回路１０９による不足電圧ＬＶの検出をタイマなどでマスクし、一定時間経過後に、不足電圧検出回路１０９による不足電圧ＬＶの検出が有効になるようにしている。
【００１３】
このように、従来の電源出力電圧監視回路は、過電圧を検出した際は即時停止、また不足電圧を検出したときは一定時間経過した後に停止するような構成が必要であったため、過電圧検出と不足電圧検出とを独立した回路で構成しており、そのため絶縁されている一次回路と二次回路との橋渡しをするフォトカプラは、２個必要であった。
【特許文献１】特開平９−１７２７７６号公報（図１）
【発明の開示】
【発明が解決しようとする課題】
【００１４】
しかしながら、近年、装置の小型化を狙って電子部品を集積することが多いが、フォトカプラについては、一次回路と二次回路との間で絶縁耐圧を確保しなければならないことから集積回路の中に折込むことができず、しかも、電源出力電圧監視回路では２個のフォトカプラが必要なことから小型化の弊害となっているという問題点があった。
【００１５】
本発明はこのような点に鑑みてなされたものであり、フォトカプラの数を減らして電源装置を小型化することが可能な電源出力電圧監視回路を提供することを目的とする。
【課題を解決するための手段】
【００１６】
図１は上記目的を達成する電源出力電圧監視回路を示す回路図である。
この電源出力電圧監視回路は、電源装置の入力側に設けられた一次回路１と出力側に設けられた二次回路２とを備えている。二次回路２は、２つの比較器２１，２２と、１つのフォトカプラＰＣの発光部とを有し、出力電圧が変化したときの許容変化範囲の上限と下限とを検出して、正常時はフォトカプラＰＣを点灯させ、過電圧または不足電圧時には、フォトカプラＰＣを消灯させるようにしている。
【００１７】
一方、一次回路１は、フォトカプラＰＣの受光部と、ＮＡＮＤゲート１１，１２によるラッチ回路と、ＯＲゲート１３と、ＡＮＤゲート１４と、タイマ１５とを有している。出力電圧が許容変化範囲内に入っている正常時は、フォトカプラＰＣの受光部が受光していることにより、信号ｃがローレベルになり、この結果、ＡＮＤゲート１４の出力信号ｆは、ローレベルの正常信号を出力する。出力電圧が過電圧または不足電圧のときには、フォトカプラＰＣの受光部が受光していないことにより、信号ｃがハイレベルになり、タイマ１５の出力信号ｂもハイレベルであることから、ＡＮＤゲート１４の出力信号ｆは、ハイレベルのアラーム信号を出力する。この場合、電源装置の制御回路は、アラーム信号を受けると即座に電源回路を停止する。
【００１８】
電源装置の起動時には、タイマ１５は、起動信号ａを受けて起動から所定時間ローレベルの出力信号ｂを出力し、所定時間経過後にハイレベルの出力信号ｂを出力する。この起動から所定時間の間、ＡＮＤゲート１４が強制的にローレベルの出力信号ｆを出力するようにしており、これにより、二次回路２の不足電圧検出用の比較器２２が出力電圧の立ち上がりにおける不足電圧の不可避的な検出をマスクするようにしている。
【発明の効果】
【００１９】
本発明の電源出力電圧監視回路は、出力電圧の過電圧または不足電圧の異常をフォトカプラの発光態様で一次回路へ伝達する構成にしたので、従来２つ使用していたフォトカプラを１つに削減することが可能となり、電源装置の小型化に貢献することができるという利点がある。
【発明を実施するための最良の形態】
【００２０】
図１は第１の実施の形態に係る電源出力電圧監視回路を示す回路図、図２は二次回路の動作状態を示す図、図３は一次回路の動作を示すタイムチャートである。
この電源出力電圧監視回路は、電源装置の入力側に設けられた一次回路１と出力側に設けられた二次回路２とを備えている。一次回路１は、ＮＡＮＤゲート１１，１２によるラッチ回路を有している。ＮＡＮＤゲート１１の出力は、ＯＲゲート１３の一方の入力に接続され、その出力は、ＡＮＤゲート１４の一方の入力に接続されている。このＡＮＤゲート１４の他方の入力は、ＮＡＮＤゲート１１の一方の入力に接続され、出力は、この電源出力電圧監視回路の出力を構成している。ＮＡＮＤゲート１２の一方の入力は、起動信号ａを受けるよう構成され、その起動信号ａは、タイマ１５の入力を構成している。タイマ１５の出力は、ＯＲゲート１３の他方の入力に接続されている。ＮＡＮＤゲート１１の一方の入力は、また、フォトカプラＰＣの受光部を構成する受光トランジスタ１６のコレクタと、一方が電源Ｖｃｃに接続された抵抗１７の他方とに接続されている。そして、受光トランジスタ１６のエミッタは、一次回路１のグランドに接続されている。このように、一次回路１は、フォトカプラＰＣの受光部と、論理回路と、タイマ１５とで構成されている。
【００２１】
二次回路２は、２つの比較器２１，２２と出力電圧を検出する直列接続の３つの抵抗２３，２４，２５（電圧検出回路）とを有している。抵抗２３，２４の接続点は、比較器２２の非反転入力に接続され、その反転入力は、基準電圧源２６の正極端子に接続されている。抵抗２４，２５の接続点は、比較器２１の反転入力に接続され、その非反転入力は、基準電圧源２６の正極端子に接続されている。基準電圧源２６の負極端子は、二次回路２の負極出力端子に接続されている。
【００２２】
比較器２１，２２の出力は、トランジスタ２７のベースと、一方が二次回路２の正極出力端子に接続された抵抗２８の他方とに接続されている。トランジスタ２７のエミッタは、二次回路２の負極出力端子に接続され、コレクタは、フォトカプラＰＣの発光部を構成する発光ダイオードのカソードに接続され、そのアノードは抵抗３０を介して二次回路２の正極出力端子に接続されている。
【００２３】
このように、第１の実施の形態に係る電源出力電圧監視回路は、従来、２つ使用していたフォトカプラを１つに統合し、かつ、二次回路２は、過電圧と不足電圧との両方を監視するようにしている。
【００２４】
ここで、比較器２１は、過電圧を検出する回路を構成し、比較器２２は、不足電圧を検出する回路を構成し、それぞれの出力は互いに接続されてＡＮＤ回路を構成している。出力電圧が正常時には、抵抗２４と抵抗２５との接続点の電位が基準電圧源２６の電位よりも低く設定され、抵抗２３と抵抗２４との接続点の電位が基準電圧源２６の電位よりも高く設定されているので、比較器２１，２２の出力は、それぞれハイレベルになっており、これにより、トランジスタ２７がオンし、フォトカプラＰＣの発光ダイオード２９が点灯状態にある。出力電圧が上昇して、抵抗２４と抵抗２５との接続点の電位が基準電圧源２６の電位よりも高くなると、比較器２１は、出力状態を反転し、トランジスタ２７をオフしてフォトカプラＰＣの発光ダイオード２９を消灯する。逆に、出力電圧が低下して、抵抗２３と抵抗２４との接続点の電位が基準電圧源２６の電位よりも低くなると、比較器２２は、出力状態を反転し、トランジスタ２７をオフしてフォトカプラＰＣの発光ダイオード２９を消灯する。
【００２５】
すなわち、この電源出力電圧監視回路の二次回路２は、図２に示したように、出力電圧が第１の設定電圧Ｖｏｖと第２の設定電圧Ｖｌｖとの間にある正常出力時には、比較器２１，２２の出力は、それぞれハイレベルで、フォトカプラＰＣの発光ダイオード２９が点灯し、それ以外の過電圧または不足電圧となる異常時は、比較器２１または比較器２２の出力が反転してローレベルになることにより、フォトカプラＰＣの発光ダイオード２９は消灯する、といった動作をする。
【００２６】
次に、二次回路２のこのような動作に対する一次回路１の動作を図３を参照して説明する。なお、図３において、図１の各回路に表れる信号ａ〜ｆに対応する信号を同じ符号で示してある。
【００２７】
まず、電源装置が起動したときは、起動信号ａによって、タイマ１５が起動し、所定時間経過後に、ハイレベルの信号ｂを出力する。同時に、ＮＡＮＤゲート１２に起動信号ａが入力されることで、ラッチ回路はリセットされて、ＮＡＮＤゲート１１の出力信号ｄがローレベルに維持される。
【００２８】
ここで、タイマ１５の所定時間経過する間は、タイマ１５は、ローレベルの信号ｂを出力しているので、ＡＮＤゲート１４は、ＯＲゲート１３を介して一方の入力に供給されるローレベルの信号ｅによって閉塞され、他方の入力に供給される信号ｃのレベルに影響されないようにする。これによって、電源装置の起動時に不可避的に発生してしまう不足電圧の検出をマスクする。
【００２９】
タイマ１５の所定時間経過する間に、二次回路２の出力電圧が正常に立ち上がっると、フォトカプラＰＣが点灯状態になってその受光トランジスタ１６がオンとなり、信号ｃがローレベルになる。これにより、ラッチ回路はセットされてハイレベルの信号ｄを出力してＡＮＤゲート１４を開けようとするが、ＡＮＤゲート１４は、ローレベルの信号ｃによって強制的に閉塞され、その出力に、正常動作を表すローレベルの信号ｆを出力する。
【００３０】
タイマ１５の所定時間経過する間に、二次回路２の出力電圧が正常に立ち上がらなかった場合は、フォトカプラＰＣは消灯状態のままであるので、その受光トランジスタ１６はオフのままであり、信号ｃがハイレベルとなって、ＡＮＤゲート１４を開ける。一方、タイマ１５の所定時間経過後に、タイマ１５の出力信号ｂがハイレベルになるので、そのときには、ＯＲゲート１３を介してハイレベルの信号ｅがＡＮＤゲート１４に入力される。その結果、ＡＮＤゲート１４は、その出力にハイレベルの信号ｆ、すなわちアラーム信号ＡＬＭを出力する。電源出力電圧監視回路からアラーム信号ＡＬＭが出力されると、電源装置の制御回路は、即座に電源回路を停止するよう制御する。
【００３１】
電源装置が正常動作中に、二次回路２の出力電圧が異常に上昇して第１の設定電圧Ｖｏｖを越えるか、または異常に低下して第２の設定電圧Ｖｌｖを下回ると、フォトカプラＰＣが消灯状態になるので、その受光トランジスタ１６はオフとなって信号ｃがハイレベルに変化する。このとき、タイマ１５の出力信号ｂがハイレベルになっていて、ＯＲゲート１３の出力の信号ｅがハイレベルになっているので、ＡＮＤゲート１４の出力信号ｆは、ハイレベルに変化して、アラーム信号ＡＬＭとなる。この場合においても、電源装置の制御回路は、アラーム信号ＡＬＭを受けて、即座に電源回路を停止するよう制御する。
【００３２】
図４は第２の実施の形態に係る電源出力電圧監視回路を含む電源装置の回路図、図５は第２の実施の形態に係る電源出力電圧監視回路の動作を示すタイムチャートである。なお、図５において、図４の各回路に表れる信号Ａ〜Ｆに対応する信号を同じ符号で示してある。
【００３３】
この第２の実施の形態に係る電源出力電圧監視回路は、第１の実施の形態に係る電源出力電圧監視回路と比較して、スイッチング電源のスイッチング周波数に同期した動作をさせることにより、過電圧と不足電圧とを区別して検出できるように構成した点で相違している。
【００３４】
電源装置は、基本的に、パルス幅制御を行う制御回路４１と、この制御回路４１からのスイッチング信号によって駆動されるスイッチングトランジスタ４２と、一次回路と二次回路との間を電気的に絶縁するトランス４３と、全波整流を行うダイオード４４，４５と、平滑回路を構成するチョークコイル４６およびコンデンサ４７とを有している。電源装置は、さらに、電源出力電圧監視回路を有している。
【００３５】
電源出力電圧監視回路は、入力が制御回路４１の出力に接続されたＮＯＴゲート５１と、一方の入力がＮＯＴゲート５１の出力に接続されたＡＮＤゲート５２と、出力がＡＮＤゲート５２の他方の入力に接続されたＮＯＴゲート５３とを有している。このＮＯＴゲート５３の入力は、ＡＮＤゲート５４の一方の入力に接続され、その他方の入力は、制御回路４１の出力に接続されている。ＡＮＤゲート５４の出力は、タイマ５５に接続されている。ＮＯＴゲート５３の入力とＡＮＤゲート５４の一方の入力とは、さらに、一端が電源Ｖｃｃに接続された抵抗５６の他端とフォトカプラＰＣの受光部を構成する受光トランジスタ５７のコレクタとの接続点に接続されている。受光トランジスタ５７のエミッタは、一次回路１のグランドに接続されている。
【００３６】
電源出力電圧監視回路は、また、２つの比較器５８，５９と、両端が二次回路の出力端子間に接続されて出力電圧を検出する直列接続の３つの抵抗６０，６１，６２とを有している。抵抗６０，６１の接続点は、比較器５９の非反転入力に接続され、その反転入力は、基準電圧源６３の正極端子に接続されている。抵抗６１，６２の接続点は、比較器５８の非反転入力に接続され、その反転入力は、基準電圧源６３の正極端子に接続されている。基準電圧源６３の負極端子は、二次回路の負極出力端子に接続されている。
【００３７】
比較器５８の出力は、トランジスタ６４のベースに接続され、そのコレクタはトランジスタ６５のベースに、エミッタは二次回路の負極出力端子にそれぞれ接続されている。トランジスタ６５のエミッタは、二次回路の正極出力端子に接続され、コレクタは、抵抗６６を介してフォトカプラＰＣの発光部を構成する発光ダイオード６７のアノードに接続されている。発光ダイオード６７のカソードは、トランジスタ６８のコレクタに接続され、そのエミッタは二次回路の負極出力端子に、ベースは比較器５９の出力にそれぞれ接続されている。抵抗６６と発光ダイオード６７との接続点は、抵抗６９を介してダイオード７０のカソードに接続され、そのアノードは、整流用のダイオード４４，４５のカソードとチョークコイル４６との接続点に接続されている。
【００３８】
この構成において、電源装置が動作しているときは、制御回路４１からは図５に示したスイッチング信号Ａが出力されており、このスイッチング信号Ａによってスイッチングトランジスタ４２がオン・オフ駆動されている。このスイッチング動作により、二次回路の整流回路の出力には、スイッチング信号Ａと相似形のパルス信号Ｂが現れている。
【００３９】
ここで、比較器５８は、過電圧を検出する回路を構成し、比較器５９は、不足電圧を検出する回路を構成している。すなわち、出力電圧が正常のときは、抵抗６０，６１の接続点における電位が基準電圧源６３の電位よりも高く、抵抗６１，６２の接続点における電位が基準電圧源６３の電位よりも低くなるよう抵抗６０，６１，６２の分圧比が設定されている。
【００４０】
したがって、出力電圧が正常のときは、比較器５８は、出力が常にローレベルになっており、比較器５９は、出力が常にハイレベルになっている。このため、トランジスタ６４，６５はオフ、トランジスタ６８はオンになっている。したがって、フォトカプラＰＣの発光ダイオード６７には、パルス信号Ｂがダイオード７０、抵抗６９、フォトカプラＰＣの発光ダイオード６７およびトランジスタ６８を介して流れ、フォトカプラＰＣの発光ダイオード６７は、パルス信号Ｂと同じ周期の信号Ｃによって点滅動作する。
【００４１】
この点滅動作がフォトカプラＰＣの受光トランジスタ５７によって受光されると、そのコレクタには、位相の反転した信号Ｄが出力される。この信号Ｄは、スイッチング信号Ａと逆相であるため、ＡＮＤゲート５２，５４は、いずれもローレベルの信号Ｅ，Ｆを出力する。
【００４２】
電源装置が正常動作中に、二次回路の出力電圧が異常に上昇した場合は、比較器５８が反転動作して出力がハイレベルになり、比較器５９の出力はハイレベルのままである。このため、トランジスタ６４，６５，６８がオンになり、フォトカプラＰＣの発光ダイオード６７には、平滑後の電流が流れて、その発光ダイオード６７は、点灯状態になる。
【００４３】
この点灯状態の信号ＣがフォトカプラＰＣの受光トランジスタ５７によって受光されると、その受光トランジスタ５７はオンしてコレクタに、位相の反転したローレベルの信号Ｄが出力される。この信号Ｄは、スイッチング信号Ａと比較されることにより、ＡＮＤゲート５２の出力には、スイッチング信号Ａと逆相の信号Ｅが出力される。ＡＮＤゲート５４は、その一方の入力がローレベルの信号Ｄを受けているので、常時ローレベルの信号Ｆが出力される。
【００４４】
電源装置が正常動作中に、二次回路の出力電圧が異常に低下した場合は、比較器５９が反転動作して出力がローレベルになり、フォトカプラＰＣの発光ダイオード６７と直列に接続されているトランジスタ６８をオフする。これにより、フォトカプラＰＣの発光ダイオード６７は消灯する。また、電源装置の起動時においては、出力電圧が立ち上がるまでは、比較器５９の出力がローレベルであるので、同じく、トランジスタ６８がオフしていて、フォトカプラＰＣの発光ダイオード６７は消灯する。
【００４５】
フォトカプラＰＣの発光ダイオード６７が消灯状態にあるときには、フォトカプラＰＣの受光トランジスタ５７はオフし、そのコレクタに位相の反転したハイレベルの信号Ｄが出力される。したがって、ＡＮＤゲート５２の一方の入力には、ＮＯＴゲート５３で反転されたローレベルの信号が入力されるため、ＡＮＤゲート５２の出力には、ローレベルの信号Ｅが出力される。これに対し、ＡＮＤゲート５４は、一方の入力にハイレベルの信号Ｄが入力されているので、その出力には、スイッチング信号Ａと同じ信号Ｆが出力されることになる。なお、電源装置の起動時には、タイマ５５が動作して、所定時間、この信号Ｆがマスクされることになる。
【００４６】
このように、この第２の実施の形態に係る電源出力電圧監視回路では、信号Ｅ，Ｆによって出力電圧が過電圧か不足電圧かの状態を識別することができる。このため、過電圧検出よって信号Ｅが出力された場合には、制御回路４１は、電源装置を即時停止する制御を行うが、不足電圧検出による信号Ｆが出力された場合については、たとえば不足電圧の検出を保持しておき、それが所定時間継続した場合に電源装置を停止し、所定時間内に回復すれば、そのまま動作を継続するといった制御が可能である。
【００４７】
以上の実施の形態では、回路的には、従来の電源出力電圧監視回路よりも構成的に複雑になっている。しかし、集積化の難しいフォトカプラＰＣを１個に減らしたことによる耐圧を考慮した設置スペースの低減効果が大きく、その他の電子回路については、集積化によって小型化が可能であるため、トータル的にはメリットがある。なお、一次回路については、制御回路の集積回路に組み込み、二次回路は、たとえばこの電源装置の負荷である装置の集積回路に組み込むことによって、フォトカプラＰＣを除く電源出力電圧監視回路の設置スペースを実質的になくすことができる。
【産業上の利用可能性】
【００４８】
この電源出力電圧監視回路は、電源装置に適用した例で示したが、一次回路と二次回路が絶縁されていて、二次回路の電圧レベル監視結果をフォトカプラで一次回路へ伝達するような他の装置においても同じように適用することができる。
【図面の簡単な説明】
【００４９】
【図１】第１の実施の形態に係る電源出力電圧監視回路を示す回路図である。
【図２】二次回路の動作状態を示す図である。
【図３】一次回路の動作を示すタイムチャートである。
【図４】第２の実施の形態に係る電源出力電圧監視回路を含む電源装置の回路図である。
【図５】第２の実施の形態に係る電源出力電圧監視回路の動作を示すタイムチャートである。
【図６】出力電圧異常の説明図であって、（ａ）は出力電圧異常を定義する図、（ｂ）は起動時の出力電圧の変化を示す図である。
【図７】電源装置における従来の電源出力電圧監視回路の構成例を示す回路図である。
【符号の説明】
【００５０】
１  一次回路
２  二次回路
１５  タイマ
２１  比較器（過電圧検出用）
２２  比較器（不足電圧検出用）
４１  制御回路
４２  スイッチングトランジスタ
５５  タイマ
５８  比較器（過電圧検出用）
５９  比較器（不足電圧検出用）
ＰＣ  フォトカプラ
【図１】
2006033913.tif 000003
【図２】
2006033913.tif 000004
【図３】
2006033913.tif 000005
【図４】
2006033913.tif 000006
【図５】
2006033913.tif 000007
【図６】
2006033913.tif 000008
【図７】
2006033913.tif 000009